(57)【要約】      （修正有）【課題】接触したりぶつけたりしたときに外れて落下し難く、多様な変化に富んだ眼鏡のテンプル装飾構造を持つ眼鏡の提供。【解決手段】使用者の頭部を挟んで装着するために用いられるテンプルと、装飾品を含み、前記装飾品上に孔部を設け、前記孔部に眼鏡のテンプルを穿通して前記装飾品を取り付けることができ、使用者は好みに応じて異なる形状や色の装飾品に交換し、多様なスタイルの変化に富んだ眼鏡とすることができる。【選択図】図１
0003140932.tif 000002
【実用新案登録請求の範囲】
【請求項１】
使用者の頭部を挟んで装着するために用いる予め設けられたテンプルと、１つ以上の装飾品を含み、前記各装飾品に１つ以上の孔部がそれぞれ穿設され、前記孔部に前記テンプルを穿通して前記装飾品が取り付けられ、装飾効果を達することを特徴とする、眼鏡。       
【請求項２】
前記テンプルにさらに１つ以上のテンプルフレームを設け、前記各装飾品の１つ以上の孔部に前記テンプルフレームが穿通されて前記各装飾品が取り付けられることを特徴とする、請求項１に記載の眼鏡。
【請求項３】
前記テンプルフレームがさらに座体に接続されることを特徴とする、請求項２に記載の眼鏡。  
【考案の詳細な説明】
【技術分野】
【０００１】
本考案は眼鏡のテンプル装飾技術に関し、特に、変化に富んだ眼鏡のテンプル装飾構造を持つ眼鏡に関する。
【背景技術】
【０００２】
眼鏡はすでに単純な視力矯正機能からゆっくりと装飾機能を備えたものに変化してきており、眼鏡のスタイルに多様な変化を持たせるため、フレームまたはテンプルのスタイル、模様等の装飾デザインがより多種類から選択できるようになりつつあり、メーカーはフルリムフレーム眼鏡、半リムフレーム眼鏡、リムレスフレーム眼鏡、プラスチックフレーム眼鏡等、変化に富んだフレームやテンプルを製造し、人々のニーズを満たそうとしている。
【０００３】
メーカーは各種フレームまたはテンプルを製造し、人々のニーズを満たそうとしているが、現在のメガネフレームとテンプルは製作時にコストを考慮し、通常一体成型で作られるため、フレームとテンプルのスタイルの変化には限りがあり、選択できるスタイルが限られてしまう。
【０００４】
さらに、装飾品を追加することで眼鏡のテンプルを装飾するものもあり、通常は模様や装飾品を貼り付け方式で眼鏡のテンプルに固定し、眼鏡を多様なスタイルに装飾するという効果を達している。
【０００５】
しかしながら、上述の眼鏡の装飾品は使用時に次のような問題と欠点が確実に存在する。
【０００６】
従来の眼鏡装飾品は粘着方式で追加されるため、テンプル上にしっかりと固定することができず、装飾品が眼鏡のテンプル上に突出した状態を形成し、接触したりぶつけたりすると外れて落下しやすく、不便である。
【０００７】
このため、いかに上述の従来の問題と欠点をするかが、本考案の考案者と関連産業の製造者が改善を図る方向性である。
【考案の開示】
【考案が解決しようとする課題】
【０００８】
本考案の考案者は、上述の欠点に鑑みて、関連資料を収集し、多方面の評価と考慮を経て、関連産業に従事した長年の経験に基づき試作と修正を重ね、ついに多様な変化に富んだ眼鏡のテンプル装飾構造を持つ眼鏡の実用新案の開発に至ったものである。
【０００９】
本考案の主な目的は、従来の眼鏡の装飾品に存在する接触したりぶつけたりしたときに外れて落下しやすいという問題を解決し、多様な変化に富んだ眼鏡のテンプル装飾構造を持つ眼鏡を提供することにある。  
【課題を解決するための手段】
【００１０】
本考案の眼鏡は、使用者の頭部を挟み込む予め設けられたテンプルと、１つ以上の装飾品を含み、各装飾品にそれぞれ１つ以上の孔部を穿設し、前記孔部にテンプルを穿通して前記装飾品を取り付け、自由に装飾品を交換することができ、且つ装飾品をしっかりとテンプル上に穿設することができる。  
【考案の効果】
【００１１】
全部の図に示すように、本考案の使用時には、従来技術と比較して次のような利点がある：本考案の眼鏡１は使用者の頭部を挟んで装着するために用いる予め設けたテンプル１１、及び１つ以上の装飾品２を含み、前記各装飾品２はそれぞれ１つ以上の孔部２１が穿設され、使用者は自分の好みに基づいて随意の形状や色の装飾品２を孔部２１により眼鏡１のテンプル１１に穿設し、多様なスタイルの変化に富んだ眼鏡１が得られる。        
【考案を実施するための最良の形態】
【００１２】
上述の目的及び効果を達するため、本考案が採用する技術手段及び構造について、以下、本考案の最良の実施例と図面に基づき、その特徴と機能を詳細に説明する。
【００１３】
図１、図２、図３に本考案の最良の実施例の立体図、立体断面図、立体分解図をそれぞれ示す。図からはっきりと分かるように、本考案の眼鏡１は、ンプル１１と１つ以上の装飾品２を含む。
【００１４】
前記テンプル１１は使用者の頭部を挟んで装着するために用いられ、テンプル１１の一端に耳に掛けるための先セル１２が設置され、他端にテンプル１１を眼鏡１に固定するためのネジ部材１３が設置される。
【００１５】
前記１つ以上の装飾品２はそれぞれ１つ以上の孔部２１が穿設される。
【００１６】
装飾品２をテンプル１１上に穿設することで、装飾品２は必要に応じて適当な形状や色に交換し、多様な変化に富んだ装飾を達成することができる。
【実施例１】
【００１７】
上述の構造、組み立て設計に基づき、本考案の使用動作を次に説明する。図２、図４、図５に本考案の最良の実施例１の立体断面図、実施状態の立体図をそれぞれ示す。これらの図からはっきりと分かるように、上述の構成部材を組み立てるときは、先セル１２をテンプル１１上から取り外して１つ以上の装飾品２を順次テンプル１１に穿通し、最後に先セル１２を再度取り付けるか、テンプル１１他端のネジ部材１３を外してテンプル１１を取り外し、他端から装飾品２をそれぞれ穿通することができる。上述の構造により、任意に装飾品２をテンプル１１上にしっかりと固定し、本考案の眼鏡１に装飾の強固な固定と多様なスタイルの変化をもたせるという目的を達することができる。
【実施例２】
【００１８】
図２、図６、図７、図８に本考案の最良の実施例の立体断面図、最良の実施例２の実施状態の立体図、最良の実施例３の実施状態の立体図、最良の実施例４の実施状態の立体図をそれぞれ示す。これらの図からはっきりと分かるように、本考案の眼鏡１のテンプル１１はさらに１つ以上のテンプルフレーム１４を設けることができ、且つ、テンプルフレーム１４はさらに座体１５に接続され、前記各装飾品２はそれぞれ１つ以上の孔部２１で前記テンプルフレーム１４に穿設され、これにより多様なスタイルの変化に富んだテンプル１１が得られる。
【００１９】
以上の説明は本考案の最良の実施例に基づくものであり、本考案の特許範囲を制限するものではなく、本考案の明細書及び図面の内容を運用した簡易な修飾や同等効果の構造変化はすべて本考案の特許範囲内に含まれるものとする。
【００２０】
上述をまとめると、本考案の眼鏡は使用時に確実にその効果と目的を達することができるため、本考案は実用性に優れた創作であり、実用新案登録出願の要件を満たしているため、法に基づきここに出願を提出するものである。
【図面の簡単な説明】
【００２１】
【図１】本考案最良の実施例の立体図である。
【図２】本考案最良の実施例の立体断面図である。
【図３】本考案最良の実施例の立体分解図である。
【図４】本考案最良の実施例１の実施状態を示す立体図である。
【図５】本考案の最良の実施例１の別の実施状態を示す立体図である。
【図６】本考案の最良の実施例２の実施状態を示す立体図である。
【図７】本考案の最良の実施例３の実施状態を示す立体図である。
【図８】本考案の最良の実施例４の実施状態を示す立体図である。
【符号の説明】
【００２２】
１        眼鏡
１１      テンプル
１２      先セル
１３      ネジ部材
１４      テンプルフレーム
１５      座体
２        装飾品
２１      孔部
【図１】
0003140932.tif 000003
【図２】
0003140932.tif 000004
【図３】
0003140932.tif 000005
【図４】
0003140932.tif 000006
【図５】
0003140932.tif 000007
【図６】
0003140932.tif 000008
【図７】
0003140932.tif 000009
【図８】
0003140932.tif 000010